(57)【要約】【課題】表示画面が狭くて表示能力に限界がある表示部を備える映像・音響機器に用いるものであっても、ユーザーが希望する特定の入力ソースを選択し易くなる入力ソース選択装置およびその制御プログラムを提供する。【解決手段】入力ソース選択装置は、制御部が生成する表示情報である現在選択されている入力ソースに対応する第１表示を表示する表示部を少なくとも備え、制御部が、操作部により選択可能な次候補の入力ソースに対応する第２表示を表示部に表示し、かつ、第２表示の表示部における表示位置を、複数の入力ソースの間で予め定められた相対関係に基づいて変化させて表示する。【選択図】図１
2015165262.tif 000002
【特許請求の範囲】
【請求項１】
映像信号または音声信号を出力する複数の入力ソースが接続される入力部と、該入力部に入力される少なくとも一つの該入力ソースを選択して映像信号または音声信号を出力する入力ソース選択部と、該入力ソース選択部の動作を制御する制御部と、ユーザー操作を該制御部へ入力する操作部と、該制御部が生成する表示情報である現在選択されている該入力ソースに対応する第１表示を表示する表示部と、を少なくとも備え、
該制御部が、該操作部により選択可能な次候補の該入力ソースに対応する第２表示を該表示部に表示し、かつ、該第２表示の該表示部における表示位置を、複数の該入力ソースの間で予め定められた相対関係に基づいて変化させて表示する、
入力ソース選択装置。
【請求項２】
前記操作部が、前記入力ソース選択部が選択する前記入力ソースを変更するユーザー操作を検出した場合に、前記制御部が、前記第２表示を前記第１表示と同時に前記表示部に表示する、
請求項１に記載の入力ソース選択装置。
【請求項３】
前記表示部が、文字情報を表示可能な蛍光表示管を含み、前記第２表示が、複数の前記入力ソースのそれぞれに対応する名称の先頭文字を少なくとも含み、前記制御部が、該第２表示の該表示部における表示位置を、前記相対関係に基づいて該蛍光表示管で表示する該先頭文字の位置を変化させて表示する、
請求項１または２に記載の入力ソース選択装置。
【請求項４】
前記蛍光表示管に表示される前記第１表示または前記第２表示が、複数の前記入力ソースのそれぞれに対応する名称を短縮して表記する短縮文字である、
請求項３に記載の入力ソース選択装置。
【請求項５】
請求項１から４のいずれかに記載の入力ソース選択装置の制御プログラム。
【発明の詳細な説明】
【技術分野】
【０００１】
本発明は、入力ソース選択装置およびその制御プログラムに関し、特に、表示画面が狭くて表示能力に限界がある表示部を備える映像・音響機器に用いる入力ソース選択装置およびその制御プログラムに関する。
【背景技術】
【０００２】
オーディオ装置、または、ビデオ装置等の映像・音響機器においては、それらの機器を操作する操作回路と、機器の状態並びに操作回路での操作の結果を表示する表示回路と、操作回路並びに表示回路を制御する制御回路と、が使用される。これらの機器では、表示回路の画面には大きさの限界があるので、制御回路は、限られた表示能力の範囲で最もユーザーに対してその映像・音響機器の動作が理解しやすくなるように、表示回路を制御する必要がある。
【０００３】
例えば、オーディオ装置等の電子機器においては、蛍光表示管（以下、ＦＬディスプレイという。）が表示回路として使用されている（特許文献１）。オーディオ装置におけるＦＬディスプレイは、一般にはオーディオ装置のフロントパネルに設置されて、オーディオ装置内に挿入されるまたは外部接続するＣＤ、ＤＶＤ、ＭＤ等に記憶されるコンテンツのリストや、コンテンツの再生状態（再生カウンタや、曲名など）を表示する。特に、オーディオ装置におけるＦＬディスプレイは、特許文献１に図示されるような１行から２行の文字情報を表示するものに過ぎず、ユーザーに分かりやすく視認性を高めるには、設計上の配慮が必要になる。
【０００４】
さらに、映像・音響機器が、例えばアンプ装置のようなＣＤ、ＤＶＤ、ＭＤ等の複数の入力ソースを選択する入力セレクタとしての機能を有している場合には、表示回路に選択する入力ソースの名称（例えば、「ＣＤ、ＤＶＤ、ＭＤ、ＬＩＮＥ１、ＬＩＮＥ２」）、または、入力端子名、等を表示して、再生する入力ソース機器をユーザーに対して表示する（例えば、特許文献２〜４）。ただし、表示回路が特許文献１に図示されるようなドットマトリクス形式のＦＬディスプレイである場合には、例えば、最大で２行で構成されて、１行に１４文字表示できる程度に制限がされることなるので、入力ソースを選択する操作の際の表示方法にも、特別な設計上の配慮が必要になる。
【０００５】
特に、ＡＶレシーバーのように極めて多数の入力ソースを接続するオーディオ機器では、一つの入力ソースまたは端子に対応するＬＥＤ表示をそれぞれフロントパネルにさらに設けると、限られたＦＬディスプレイで入力ソースを表示する必要が無くなるメリットがある。しかし、多数の入力ソースに対応するＬＥＤ表示を設ければ、それだけ回路的な構成及び機構的な構成が複雑になり、製造コストが上昇して、結果的にユーザーに提供する上で高価になってしまうというデメリットがある。
【０００６】
その一方で、ＦＬディスプレイのみで入力ソースを表示するようにすると、現在選択している入力ソースは視認しやすくなるものの、次に入力セレクタを変更して入力ソースを選択するのが、操作し難くなるという問題がある。これは、例えば、操作回路としてのダイヤルを回転させると対応する入力ソースが順番に代わっていくことを想定する場合に、その次に選択可能な入力ソースがダイヤルを回転させて選択を終了してしまうまで分からない、という問題が発生するからである。特定の希望する入力ソースを選択したいユーザーは、ダイヤルを回転させると表示される次の入力ソースが予測しにくい。その結果、入力ソースを選択する操作に時間が掛かり、操作しにくいとユーザーが不満に感じるという問題を生じる。
【０００７】
【特許文献１】特開２０１３−１５２３２７号公報
【特許文献２】特開２０１３−１２３１５１号公報
【特許文献３】特許第５４０１９３２号公報
【特許文献４】特許第４３３５８４２号公報
【発明の概要】
【発明が解決しようとする課題】
【０００８】
本発明は、上記の従来技術が有する問題を解決するためになされたものであり、その目的は、入力ソース選択装置およびその制御プログラムに関し、特に、表示画面が狭くて表示能力に限界がある表示部を備える映像・音響機器に用いるものであっても、ユーザーが希望する特定の入力ソースを選択し易くなる入力ソース選択装置およびその制御プログラムを提供することにある。
【課題を解決するための手段】
【０００９】
本発明の入力ソース選択装置は、映像信号または音声信号を出力する複数の入力ソースが接続される入力部と、入力部に入力される少なくとも一つの入力ソースを選択して映像信号または音声信号を出力する入力ソース選択部と、入力ソース選択部の動作を制御する制御部と、ユーザー操作を制御部へ入力する操作部と、制御部が生成する表示情報である現在選択されている入力ソースに対応する第１表示を表示する表示部と、を少なくとも備え、制御部が、操作部により選択可能な次候補の入力ソースに対応する第２表示を表示部に表示し、かつ、第２表示の表示部における表示位置を、複数の入力ソースの間で予め定められた相対関係に基づいて変化させて表示する。
【００１０】
好ましくは、本発明の入力ソース選択装置は、操作部が、入力ソース選択部が選択する入力ソースを変更するユーザー操作を検出した場合に、制御部が、第２表示を第１表示と同時に表示部に表示する。
【００１１】
また、好ましくは、本発明の入力ソース選択装置は、表示部が、文字情報を表示可能な蛍光表示管（ＦＬ管）を含み、第２表示が、複数の入力ソースのそれぞれに対応する名称の先頭文字を少なくとも含み、制御部が、第２表示の表示部における表示位置を、相対関係に基づいて蛍光表示管で表示する先頭文字の位置を変化させて表示する。
【００１２】
また、好ましくは、本発明の入力ソース選択装置は、蛍光表示管に表示される第１表示または第２表示が、複数の入力ソースのそれぞれに対応する名称を短縮して表記する短縮文字である。
【００１３】
また、好ましくは、本発明の制御プログラムは、上記の入力ソース選択装置を制御する。
【００１４】
以下、本発明の作用について説明する。
【００１５】
本発明の入力ソース選択装置は、映像信号または音声信号を出力する複数の入力ソースが接続される入力部と、入力部に入力される少なくとも一つの入力ソースを選択して映像信号または音声信号を出力する入力ソース選択部と、入力ソース選択部の動作を制御する制御部と、ユーザー操作を制御部へ入力する操作部と、制御部が生成する表示情報である現在選択されている入力ソースに対応する第１表示を表示する表示部と、を少なくとも備える。制御プログラムは、制御部で動作して、入力ソース選択装置の動作を制御する。
【００１６】
さらに、入力ソース選択装置の制御部は、操作部により選択可能な次候補の入力ソースに対応する第２表示を表示部に表示し、かつ、第２表示の表示部における表示位置を、複数の入力ソースの間で予め定められた相対関係に基づいて変化させて表示する。つまり、入力ソース選択装置の制御部は、表示部に現在選択されている入力ソースに対応する第１表示を表示するだけでなく、操作部により選択可能な次候補の入力ソースに対応する第２表示を表示部に表示する。したがって、ユーザーは、次に入力セレクタを変更すると選択できる入力ソースを第２表示により予測できるので、入力ソースを選択する操作がスムーズになり、操作時間も短くできるという利点がある。
【００１７】
ここで、操作部により選択可能な次候補の入力ソースに対応する第２表示は、その表示部における表示位置を、複数の入力ソースの間で予め定められた相対関係に基づいて変化させるように表示する。複数の入力ソースの間で予め定められた相対関係とは、例えば、入力番号のような入力ソースに付けた１からＮ（整数）の順番を示す数字であり、この入力番号ｋ（１≦ｋ≦Ｎ）に応じて、第２表示の表示部における表示位置を変化させればよい。例えば、入力ソースに対応する入力番号ｋが小さい場合には、表示部における第２表示を左寄りにし、入力番号ｋが大きくＮに近い場合には、表示部における第２表示を右寄りにし、入力番号ｋがＮ／２に近い場合には、表示部における第２表示を中央寄りにする、などの表示方法である。
【００１８】
したがって、この入力ソース選択装置の表示部では、入力ソースを順番に変えていくように操作部を操作すると、選択可能な次候補の入力ソースに対応する第２表示が、表示部のなかで複数の入力ソースの間で予め定められた相対関係に基づいて移動するように表示される。例えば、操作回路としてのダイヤルを回転させて対応する入力ソースを順番に変えていく場合に、入力番号ｋが大きくなるにつれて表示部における第２表示が左側から右側へ移動していくことになる。その結果、ユーザーは、次候補の入力ソースに関して複数の入力ソースの相対関係を可視化して認識できるようになるので、あらためて入力ソースを選択する操作を直感的に行えるようになり、操作時間も短くできるという利点がある。
【００１９】
なお、好ましくは、入力ソース選択装置は、操作部が、入力ソース選択部が選択する入力ソースを変更するユーザー操作を検出した場合に、制御部が、第２表示を第１表示と同時に表示部に表示するようにしてもよい。ユーザーが入力ソースを変更する操作を行わない限り、選択可能な次候補である第２表示が表示部に表示されなくなるので、表示が煩雑にならないことが利点になる。また、表示された第１表示に対応する入力ソースが、複数の入力ソースの間で予め定められた相対関係においてどの辺りに位置するのかが、表示位置が変化する第２表示により分かりやすくなるので、ユーザーは、入力ソースを選択するのが操作しやすくなる。
【００２０】
また、本発明の入力ソース選択装置は、表示部が、文字情報を表示可能な蛍光表示管（ＦＬ管）を含む場合には、第２表示が、複数の入力ソースのそれぞれに対応する名称の先頭文字を少なくとも含む文字情報であればよい。入力ソース選択装置の制御部は、第２表示の表示部における表示位置を、相対関係に基づいて蛍光表示管で表示する先頭文字の位置を変化させて表示する。蛍光表示管は、表示能力が限られていても複数の文字情報を表示できるので、蛍光表示管に表示される第１表示または第２表示が、複数の入力ソースのそれぞれに対応する名称を短縮して表記する短縮文字であるようにすることができ、実用的な入力ソース選択装置を実現することができる。
【００２１】
その結果、選択可能な次候補の入力ソースに対応する第２表示が、表示部のなかで複数の入力ソースの間で予め定められた相対関係に基づいて移動するように表示されることになる。例えば、ＦＬディスプレイのみで入力ソースを表示したとしても、ＦＬディスプレイにおける第２表示の文字表示の開始位置（先頭文字に相当、（「ＣＤ」の場合には「Ｃ」）の位置）を、上記の入力番号ｋ（１≦ｋ≦Ｎ）に応じて変化させればよい。したがって、多数の入力ソースに対応するＬＥＤ表示を設けることなく、製造コストの上昇を抑えることができる。また、ユーザーは、次に入力セレクタを変更すると選択できる入力ソースを、ＦＬディスプレイの第２表示により予測できるので、入力ソースを選択する操作がスムーズになり、操作時間も短くできるという利点がある。
【発明の効果】
【００２２】
本発明の入力ソース選択装置およびその制御プログラムは、表示画面が狭くて表示能力に限界がある表示部を備える映像・音響機器に用いるものであっても、ユーザーが希望する特定の入力ソースを選択し易くなる。
【図面の簡単な説明】
【００２３】
【図１】本発明の好ましい実施形態によるＡＶアンプ１について説明する図である。（実施例１）
【図２】本発明の好ましい実施形態によるＡＶアンプ１でのＦＬディスプレイ２３での表示制御を説明する図である。（実施例１）
【図３】本発明の好ましい実施形態によるＡＶアンプ１での複数の入力ソースの間の相関関係を説明する図である。（実施例１）
【図４】本発明の好ましい実施形態によるＡＶアンプ１でのＦＬディスプレイ２３での表示制御を説明する図である。（実施例１）
【図５】本発明の好ましい実施形態によるＡＶアンプ１のマイコン２１での動作制御を説明するフローチャートである。（実施例１）
【発明を実施するための形態】
【００２４】
以下、本発明の好ましい実施形態による入力ソース選択装置およびその制御プログラムについて説明するが、本発明はこれらの実施形態には限定されない。
【実施例１】
【００２５】
図１は、本発明の好ましい実施形態による入力ソース選択装置であるＡＶアンプ１について説明するブロック図である。ＡＶアンプ１は、複数のオーディオ装置、または、ビデオ装置を接続して、それらを入力ソースとして選択するセレクタ機能を有する。本実施例に於いては、具体的には、入力ソース機器は、コンテンツ再生装置であるＣＤプレイヤー２であり、また、ＤＶＤプレイヤー３であり、また、ポータブルＤＡ（Digital Audio）プレイヤー４である。これらの機器は、音声再生システムを構成し、音声信号／データを電送する接続線５〜７により相互に接続されている。なお、説明に不要な一部の構造や、内部構造等は、図示ならびに説明を省略している。
【００２６】
ＣＤプレイヤー２は、（図示しない）ＣＤ（Compact Disc）というディスク記録媒体に記録されたコンテンツを再生するディスクプレイヤーであり、コンテンツ音声を音声信号として出力する。ＣＤプレイヤー２は、アナログ音声信号出力端子２ａを備え、コンテンツ音声をアナログ音声信号としてＡＶアンプ１に出力する。ＡＶアンプ１とＣＤプレイヤー２とを接続する接続線５は、アナログ音声信号を伝送する同軸ピンケーブルである。
【００２７】
ＤＶＤプレイヤー３は、（図示しない）ＤＶＤ（Digital Versatile Disc）というディスク記録媒体に記録されたコンテンツを再生するディスクプレイヤーであり、コンテンツ音声を音声信号として出力する。ＤＶＤプレイヤー３は、デジタル音声信号出力端子３ａを備え、コンテンツ音声をデジタル音声信号のデータとしてＡＶアンプ１に出力する。ＡＶアンプ１とＤＶＤプレイヤー３とを接続する接続線６は、デジタル音声信号を伝送する光ケーブルである。なお、ＡＶアンプ１およびＤＶＤプレイヤー３のビデオ信号に関する記載及び図示は、省略する。
【００２８】
ポータブルＤＡプレイヤー４は、（図示しない）メモリ記録媒体に記録されたコンテンツを再生するメモリ型オーディオプレイヤーであり、コンテンツ音声を音声信号として出力する。ポータブルＤＡプレイヤー４は、データ入出力端子としてのＵＳＢ（Universal Serial Bus）端子４ａを備え、コンテンツ音声をデジタル音声信号のデータとしてＡＶアンプ１に出力する。ＡＶアンプ１とポータブルＤＡプレイヤー４とを接続する接続線７は、デジタルデータを伝送するＵＳＢケーブルである。
【００２９】
ＡＶアンプ１は、後述する増幅回路１９を含み、入力ソースとして選択する他の機器からの音声信号を増幅して出力する。ＡＶアンプ１は、後述するデジタル／アナログ変換回路部１６を含み、入力されたデジタル音声信号をアナログ音声に変換する。つまり、ＡＶアンプ１は、ＣＤプレイヤー２、または、ＤＶＤプレイヤー３、または、ポータブルＤＡプレイヤー４および（図示しない）他の音声再生装置といったソース機器から入力される音声信号を選択して増幅して、（図示しない）スピーカー又は（図示しない）ヘッドホンに出力することにより、コンテンツの音声を再生する。なお、ＡＶアンプ１は、ＦＭ放送およびＡＭ放送に対応する後述するチューナー回路１１を内蔵しているので、ＦＭ放送またはＡＭ放送を入力ソースとして選択することができる。
【００３０】
本実施例では、ＣＤプレイヤー２のアナログ音声信号出力端子２ａは、ＡＶアンプ１が備える複数のアナログ音声信号入力端子１２のうちの一つに、接続線５により接続される。また、ＤＶＤプレイヤー３のデジタル音声信号出力端子３ａは、ＡＶアンプ１が備える複数のデジタル音声信号入力端子１３のうちの一つに、接続線６により接続される。また、ポータブルＤＡプレイヤー４のＵＳＢ端子４ａは、ＡＶアンプ１が備える複数のＵＳＢ端子１４のうちの一つに、接続線７により接続される。
【００３１】
音声信号の接続線５〜７は、他のアナログ音声信号を伝送する同軸ケーブル、または、デジタル音声信号を伝送する同軸ケーブル、光ケーブル、ＵＳＢケーブル、あるいは、ＨＤＭＩ（登録商標）のいずれかであれば良く、デジタル音声信号は、モノラル信号、左音声信号及び右音声信号からなるステレオ信号、３チャンネル以上の音声信号の組から成るマルチチャンネル信号を問わない。また、アナログ音声信号の接続線５は、アナログ音声信号を伝送する同軸ケーブルであるのが好ましく、平衡出力線であってもよい。なお、音声再生システムを構成するＡＶアンプ１、および、他の入力ソース機器は、（図示しない）制御信号線により接続されていてもよく、その場合には、システム連動が可能になる。
【００３２】
ＡＶアンプ１は、ＦＭ放送およびＡＭ放送に対応するチューナー回路１１と、アナログ音声信号が入力される複数のアナログ音声信号入力端子１２と、デジタル音声信号が入力される複数のデジタル音声信号入力端子１３と、ＵＳＢ接続機器が接続されるＵＳＢ端子１４と、を備える。また、ＡＶアンプ１は、デジタル音声信号入力端子１３ならびにＵＳＢ端子１４が接続されるデジタル音声受信部１５と、デジタル音声受信部１５の出力信号をアナログ音声信号に変換するデジタル／アナログ変換回路１６と、アナログ音声信号入力端子１２が接続されるアナログ音声受信部１７と、デジタル／アナログ変換回路１６からの入力信号とアナログ音声受信部１７からの入力信号とチューナー回路１１からの入力信号とを切り替えて出力するアナログ信号セレクタ１８と、アナログ信号セレクタ１８からの出力信号を増幅する増幅回路１９と、増幅回路１９の出力端子に接続するスピーカー端子２０と、を備える。
【００３３】
また、ＡＶアンプ１は、ＡＶアンプ１の動作を制御するマイコン２１と、ユーザー操作をマイコン２１へ入力する操作回路２２と、マイコン２１が生成する表示情報を表示する表示回路２３と、を備える。マイコン２１は、（図示しない）リモートコントローラーまたは操作入力回路２２からの操作信号を受けて、それぞれのソース機器から出力されたアナログ音声信号またはデジタル音声信号が入力される入力ソース選択部１０の動作を制御する。なお、ＡＶアンプ１の入力ソース選択部１０は、図１に図示するように、アナログ音声信号入力端子１２と、デジタル音声信号入力端子１３と、ＵＳＢ端子１４と、デジタル音声受信部１５と、デジタル／アナログ変換回路１６と、アナログ音声受信部１７と、アナログ信号セレクタ１８と、を含む。
【００３４】
ＡＶアンプ１の入力ソース選択部１０は、マイコン２１から制御されて接続される複数の入力ソース機器の入力セレクタとして機能する。したがって、例えば、マイコン２１は、複数のアナログ音声信号入力端子１２のなかでＣＤプレイヤー２が接続される入力端子を、入力端子「ＣＤ」として認識することができる。アナログ音声受信部１７は、複数のアナログ音声信号入力端子１２のなかから一つ（あるいは一組）のアナログ音声信号が入力される端子を選択してアナログ信号セレクタ１８に出力する。
【００３５】
同様に、マイコン２１は、複数のデジタル音声信号入力端子１３のなかでＤＶＤプレイヤー３が接続される入力端子を、入力端子「ＤＶＤ」として認識することができる。同様に、マイコン２１は、複数のＵＳＢ端子１４のなかでポータブルＤＡプレイヤー４が接続される入力端子を、入力端子「ＵＳＢ」として認識することができる。デジタル音声受信部１５は、複数のデジタル音声信号入力端子１３およびＵＳＢ端子１４のなかから一つ（あるいは一組）のデジタル音声信号が入力される端子を選択してデジタル／アナログ変換回路１６に出力する。デジタル／アナログ変換回路１６は、デジタル音声信号をアナログ音声信号に変換して、アナログ信号セレクタ１８に出力する。
【００３６】
図２は、ＡＶアンプ１の表示回路２３での表示制御を説明する図である。本実施例における表示回路２３は、図２（ａ）または図２（ｂ）に図示するような２行（ｙ１、ｙ２）１４列（ｘ１〜ｘ１４）の文字表示が可能な蛍光表示管（ＦＬディスプレイ）である。マイコン２１から制御されるＡＶアンプ１の入力ソース選択部１０は、その動作をＦＬディスプレイ２３に表示する。ＦＬディスプレイ２３は、マイコン２１が生成する表示情報として、ＡＶアンプ１の状態並びに操作回路２２での操作の結果を表示する。つまり、ＦＬディスプレイ２３は、ＡＶアンプ１の入力ソース選択部１０の動作および選択する入力ソースを表示する。
【００３７】
例えば、図２（ａ）は、ＡＶアンプ１が通常の動作をしている場合のＦＬディスプレイ２３での表示を説明する図である。ＦＬディスプレイ２３の第１行目（ｙ１）にあたる表示部Ｄａの中央部であるｘ５〜ｘ１０の範囲には、現在に入力ソース選択部１０が選択する入力ソースであるＤＶＤプレイヤー３に対応する入力表示［ＤＶＤ／ＢＤ］が、表示されている。また、ＦＬディスプレイ２３の第２行目（ｙ２）にあたる表示部Ｄｂの中央部であるｘ５〜ｘ１０の範囲には、現在の入力ソース［ＤＶＤ／ＢＤ］に対して適用する音声処理であるサラウンドモード「ステレオ」を意味する表示［Ｓｔｅｒｅｏ］が、表示されている。ＦＬディスプレイ２３の表示部Ｄｂには、上記のようなサラウンドモードの表示以外にも、他の表示情報を表示する場合がある。例えば、入力ソースがＦＭラジオである場合には、ＦＬディスプレイ２３の表示部Ｄｂは、対応する放送信号の周波数または放送局名を表示してもよい。
【００３８】
さらに、図２（ｂ）は、ＡＶアンプ１の操作入力回路２２である（図示しない）入力セレクタダイヤルを、ユーザーが操作した場合のＦＬディスプレイ２３での表示を説明する図である。ＦＬディスプレイ２３の第１行目（ｙ１）にあたる表示部Ｄａの中央部であるｘ５〜ｘ１０の範囲には、現在に入力ソース選択部１０が選択する入力ソースであるＤＶＤプレイヤー３に対応する入力表示［ＤＶＤ／ＢＤ］が、表示されている。また、ＦＬディスプレイ２３の第２行目（ｙ２）にあたる表示部Ｄｂの左側部分であるｘ２〜ｘ５の範囲には、現在の入力ソースに代えて次の入力ソースとして選択可能な次候補である「ポータブルＤＡプレイヤー４」を意味する表示［ＵＳＢ］が、表示されている。なお、この際には、ＦＬディスプレイ２３の表示部Ｄｂには、先のサラウンドモード「ステレオ」を意味する表示［Ｓｔｅｒｅｏ］は、表示されていない。
【００３９】
つまり、ユーザーが入力ソースを選択するように入力セレクタダイヤルを操作する場合には、ＡＶアンプ１のマイコン２１は、ＦＬディスプレイ２３の表示部Ｄａに現在選択されている入力ソースに対応する第１表示［ＤＶＤ／ＢＤ］を表示するだけでなく、ＦＬディスプレイ２３の表示部Ｄｂに入力セレクタダイヤルにより選択可能な次候補の入力ソースに対応する第２表示［ＵＳＢ］を表示する。したがって、ユーザーは、次に入力セレクタダイヤルを変更すると選択できる入力ソースをＦＬディスプレイ２３の表示部Ｄｂに出現する第２表示により予測できるので、入力ソースを選択する操作がスムーズになり、操作時間も短くすることができる。
【００４０】
図３は、ＡＶアンプ１での複数の入力ソースの間の相関関係を説明する図である。また、図４は、ＡＶアンプ１でのＦＬディスプレイ２３での表示制御を説明する図である。さらに、図５は、ＡＶアンプ１のマイコン２１での動作制御を説明するフローチャートである。以下では、ユーザーが、入力セレクタダイヤルを変更して入力ソースを選択する場合に、ＡＶアンプ１のマイコン２１が実行するＦＬディスプレイ２３の表示制御を説明する。
【００４１】
図３の表に示すように、本実施例のＡＶアンプ１は、合計１２の入力ソースに対応するチューナー回路１１または入力端子（１２、１３、１４）を備えている。図３の表の入力番号［Input No.］に記載の入力ソースは、ＦＬディスプレイ２３の表示部Ｄａに表示する第１表示の表示名に対応する。また、図３の表に示す第２表示の表示名は、ＦＬディスプレイ２３の表示部Ｄｂに表示する入力ソースの短縮名であり、入力ソースのそれぞれに対応する名称の先頭文字を少なくとも含む文字情報である。短縮名は、３文字以内程度に短いことが適当である。第２表示の表示名は、ＦＬディスプレイにおける第２表示の文字表示（先頭文字に相当）の開始位置（ｘ１〜ｘ１２）を指定されている。本実施例では、［Input No.］が増大するにつれて、第２表示の文字表示の開始位置が右側（ｘ１２）から左側（ｘ１）に変化するように対応づけられている。
【００４２】
図２および図４に示すように、ＡＶアンプ１は、入力セレクタダイヤルを変更されて入力ソースを選択する場合には、ＦＬディスプレイ２３の表示部Ｄｂに選択可能な次候補の入力ソースに対応する第２表示を、複数の入力ソースの間で予め定められた相対関係に基づいて変化させて表示する。したがって、このＡＶアンプ１のＦＬディスプレイ２３の表示部Ｄｂでは、入力ソースを順番に変えていくように入力セレクタダイヤルを操作すると、選択可能な次候補の入力ソースに対応する第２表示が、表示部のなかで複数の入力ソースの間で予め定められた相対関係に基づいて移動するように表示される。
【００４３】
例えば、図２（ｂ）に示すように、入力セレクタダイヤルにより選択可能な次候補の入力ソースに対応する第２表示［ＵＳＢ］を表示する場合には、ＦＬディスプレイ２３の表示部Ｄｂにおいて、第２表示［ＵＳＢ］の先頭文字［Ｕ］の開始位置を左側寄りのｘ２に位置させて表示する。また、図４（ａ）に示すように、次候補の入力ソースに対応する第２表示［ＣＤ］を表示する場合には、ＦＬディスプレイ２３の表示部Ｄｂにおいて、第２表示［ＣＤ］の先頭文字［Ｃ］の開始位置をほぼ中央寄りのｘ７に位置させて表示する。また、図４（ｂ）に示すように、次候補の入力ソースに対応する第２表示［ＤＶＤ］を表示する場合には、ＦＬディスプレイ２３の表示部Ｄｂにおいて、第２表示［ＤＶＤ］の先頭文字［Ｄ］の開始位置を右側寄りのｘ１２に位置させて表示する。
【００４４】
したがって、ユーザーが入力セレクタダイヤルを操作して、図２（ｂ）→図４（ａ）→図４（ｂ）の順番で入力ソースを変えていく場合に、ＦＬディスプレイ２３の表示部Ｄｂにおいて次候補の入力ソースに対応する第２表示が、左側から右側へ移動していくことになる。ユーザーが入力セレクタダイヤルを逆方向に操作すると、次候補の入力ソースに対応する第２表示が、右側から左側へ移動していくことになる。入力セレクタダイヤルを回転させる操作の方向と、ＦＬディスプレイ２３の表示部Ｄｂにおける第２表示の移動方向が一致するようにしておけば、ユーザーは、次候補の入力ソースに関して複数の入力ソースの相対関係を可視化して認識できるようになる。その結果、ユーザーは、あらためて入力ソースを選択する操作を直感的に行えるようになり、操作時間も短くできるという利点がある。なお、入力ソースおよびその短縮名、およびその開始位置は、図２〜４の場合には限るものではなく、例示に過ぎない。
【００４５】
マイコン２１は、入力セレクタダイヤルに入力操作があると、操作方向を判定し、図３より次候補の表示内容と、表示位置とを決定して表示を行う。図５のフローチャートに沿って、マイコン２１の動作制御を説明する。マイコン２１は、初期値として第２表示の「次候補表示番号：ｉ」を設定する（Ｓ００１）。ユーザーが入力セレクタダイヤルを操作していないと判断する場合（Ｓ００２：Ｎｏ）には、操作がされない時間が一定以上経過したか否かをさらに判断し（Ｓ００３）、操作がされない時間が一定以上経過しない場合（Ｓ００３：Ｎｏ）又は、操作がされない時間が一定以上経過した場合（Ｓ００３：Ｙｅｓ）にはＦＬディスプレイ２３の表示部Ｄｂを通常表示に戻す（Ｓ００４）ように表示制御する。
【００４６】
マイコン２１は、ユーザーが入力セレクタダイヤルを操作したことを検出すると（Ｓ００２：Ｙｅｓ）、次に入力セレクタダイヤルの操作方向が右向きかどうかを検出する（Ｓ００５）。入力セレクタダイヤルが、ロータリーエンコーダーで構成されている場合にも、あるいは、複数のスイッチにより構成されている場合にも、操作方向の検出は容易である。入力セレクタダイヤルの操作方向が右向きである場合（Ｓ００５：Ｙｅｓ）には、次候補表示番号ｉをインクリメント（もしｉ＞１２の場合にはｉ＝１とする。）する（Ｓ００６）。一方で、入力セレクタダイヤルの操作方向が反対の左向きである場合（Ｓ００５：Ｎｏ）には、次候補表示番号ｉをデクリメント（もしｉ＜０の場合にはｉ＝１２とする。）する（Ｓ００７）。マイコン２１は、次候補表示番号ｉが決まると、次候補表示番号ｉに対応する短縮表示をＦＬディスプレイ２３の表示部Ｄｂの指定位置に表示する（Ｓ００８）。本実施例の場合には、入力セレクタダイヤルを回転させる操作の方向と、ＦＬディスプレイ２３の表示部Ｄｂにおける第２表示の移動方向が一致する。
【００４７】
なお、マイコン２１は、ＦＬディスプレイ２３の表示部Ｄａに現在選択されている入力ソースに対応する第１表示を表示する場合に、表示部Ｄｂに表示する第２表示である次候補と同様に、短縮表示を用いてもよい。表示部Ｄａには、従来の入力ソースの表示か、短縮表示に成るだけで、表示位置の変更が実質的にないので、入力ソース選択時に専用の表示に切り替わることがなく、操作するユーザーが戸惑うことがない。また、マイコン２１は、ＦＬディスプレイ２３の表示部Ｄｂに次候補の入力ソースを表示する際に、現在選択されている入力ソースが表示される表示部Ｄａに対して、ＦＬディスプレイ２３のDimmer等の明るさを暗くして、次候補を表示していることをより分かりやすくしてもよい。
【００４８】
このように、ＡＶアンプ１のＦＬディスプレイ２３では、選択可能な次候補の入力ソースに対応する第２表示が、表示部Ｄｂのなかで複数の入力ソースの間で予め定められた相対関係に基づいて移動するように表示されることになる。ＦＬディスプレイ２３のみで入力ソースを表示したとしても、入力ソースの次候補の表示位置がオフセット位置で表示されることで、入力セレクタダイヤルを高速で操作した場合も、入力セレクタダイヤルの現在の位置が相対的に分かり易くなる。この入力ソースの表示方法は、従来のソフトウェア構造の大幅な変更、または、ハードウェアの追加等がないので、コストメリットがある。つまり、多数の入力ソースに対応するＬＥＤ表示を設けることなく、製造コストの上昇を抑えることができる。
【００４９】
上記実施例では、ＦＬディスプレイにおける第２表示の短縮表示である文字表示の開始位置を、「入力番号」とは異なる「第２表示の文字表示の開始位置」を対応させて変化させているが、もちろん、入力番号に応じて変化させてもよく、複数の入力ソースの間で予め定められた他の相対関係に基づいて変化させて表示するものであればよい。また、ＦＬディスプレイにおける第２表示の位置の変化は、上記実施例のような横方向の移動に限られず、縦方向あるいは回転方向であってもよい。
【００５０】
なお、図２および図４に図示するように、本実施例のＡＶアンプ１は、表示回路として文字表示が可能なＦＬディスプレイ２３を有する場合であるが、表示回路は、例えば小型の液晶ディスプレイのような表示面積及び表示内容が限定される他のディスプレイデバイスであってもよい。入力ソース選択装置としてのマイコン２１は、選択可能な次候補の入力ソースに対応する第２表示をディスプレイデバイスに表示し、かつ、第２表示のディスプレイデバイスにおける表示位置を、複数の入力ソースの間で予め定められた相対関係に基づいて変化させて表示するものであればよい。選択可能な次候補の入力ソースに対応する第２表示としては、短縮表示をアイコンまたは記号で置き換えても良く、また、相対的な関係の変化も、アイコンまたは記号の表示位置をディスプレイデバイスの中で変える、あるいは、表示色を変更する、等の採用可能な他の方法に基づいていて実現してもよい。
【００５１】
さらに、上記実施例のＡＶアンプ１は、入力ソース選択部１０および増幅回路１９を備える装置であるが、入力ソース選択部１０と、マイコン２１と、操作回路２２と、表示回路２３と、のみを備える入力ソースの選択装置であってもよい。また、上記実施例のＡＶアンプ１は、音声信号を入力信号とする入力ソース選択部１０を含む増幅装置であるが、映像信号を入力信号とするセレクタを含むものであってもよい。もちろん、ＡＶアンプ１は、ＣＤプレイヤー２、ＤＶＤプレイヤー３またはチューナーといった他のコンテンツ再生装置を内蔵していてもよく、また、入力ソース選択部１０がパーソナルコンピューター等の電子計算機に内蔵されていてもよい。また、コンテンツが記録される記録媒体は、記録媒体再生装置とＨＤＭＩ（登録商標）あるいはＵＳＢ等の有線通信または無線通信により接続可能な外部装置に含まれるものあってもよく、クラウドコンピューティングを利用するものであってもよい。また、上記実施例のＡＶアンプ１の制御部であるマイコン２１は、一つまたは複数のＣＰＵあるいはＤＳＰなどであって、制御処理および音声信号処理を行う演算回路であってもよい。
【産業上の利用可能性】
【００５２】
本発明の入力ソース選択装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００５３】
１        ＡＶアンプ
２        ＣＤプレイヤー
３        ＤＶＤプレイヤー
４        ポータブルＤＡプレイヤー
５、６、７    接続線
１０      入力ソース選択部
１１      チューナー部
１２      アナログ音声信号入力端子
１３      デジタル音声信号入力端子
１４      ＵＳＢ端子
１５      デジタル音声受信部
１６      デジタル／アナログ変換回路
１７      アナログ信号受信部
１８      アナログ信号セレクタ
１９      増幅回路
２０      スピーカー端子
２１      マイコン
２２      操作回路
２３      表示回路
【図１】
2015165262.tif 000003
【図２】
2015165262.tif 000004
【図３】
2015165262.tif 000005
【図４】
2015165262.tif 000006
【図５】
2015165262.tif 000007